(57)【要約】      （修正有）【課題】導電コンタクト本体を冷却する冷却ランスを提供する。【解決手段】冷却ランス（２）は、ポンプへの連結のための少なくとも１つの流体ラインを有するランス本体（２０）を有している。軽量および大きな接触面積で可能な限り効率的な冷却を実現するために、少なくとも１つの流体ラインは、可撓性冷却ブラダに通じており、可撓性冷却ブラダは、流体で充填し、導電コンタクト本体（４）の凹部（５４）に挿入することができる。さらに、電気導体の連結のための電気コンタクト装置に関し、電気コンタクト装置は、凹部（５４）を備えた導電コンタクト本体（４）と、冷却ランス（２）とを有し、冷却ランス（２）の可撓性冷却ブラダが、少なくとも部分的に凹部（５４）内に配置されている。【選択図】図４
2020035740.tif 000002
【特許請求の範囲】
【請求項１】
導電コンタクト本体（４）を冷却するための冷却ランス（２）であって、流体連通しているポンプ（３１）への連結のための少なくとも１つの流体ライン（２６）を有するランス本体（２０）を有している、冷却ランス（２）において、前記流体ライン（２６）は、可撓性冷却ブラダ（３６）に通じており、前記可撓性冷却ブラダ（３６）は、流体で充填し、前記導電コンタクト本体（４）の凹部（５４）に挿入することができることを特徴とする、冷却ランス（２）。
【請求項２】
前記ランス本体（２０）は射出成形部分であることを特徴とする、請求項１に記載の冷却ランス（２）。
【請求項３】
前記ランス本体（２０）は、流体入口（２８）および流体出口（３０）を有しており、前記流体入口（２８）および前記流体出口（３０）はそれぞれ、前記可撓性冷却ブラダ（３６）に通じていることを特徴とする、請求項１または２に記載の冷却ランス（２）。
【請求項４】
前記流体入口（２８）および前記流体出口（３０）は、互いに隣接して配置されていることを特徴とする、請求項３に記載の冷却ランス（２）。
【請求項５】
前記可撓性冷却ブラダ（３６）は耐冷媒性を有していることを特徴とする、請求項１から４のいずれか一項に記載の冷却ランス（２）。
【請求項６】
前記可撓性冷却ブラダ（３６）は、前記ランス本体（２０）に固く連結されていることを特徴とする、請求項１から５のいずれか一項に記載の冷却ランス（２）。
【請求項７】
前記可撓性冷却ブラダ（３６）は、誘電特性を有する材料から構成されていることを特徴とする、請求項１から６のいずれか一項に記載の冷却ランス（２）。
【請求項８】
電気導体（５１、５３）の連結のための電気コンタクト装置（１）であって、少なくとも１つの凹部（５４）を有する導電コンタクト本体（４）と、冷却ランス（２）とを有している、電気コンタクト装置（１）において、流体で充填することができる前記冷却ランス（２）の可撓性冷却ブラダ（３６）が、少なくとも部分的に前記凹部（５４）内に配置されていることを特徴とする電気コンタクト装置（１）。
【請求項９】
前記凹部（５４）は、少なくとも１つのオリフィス（６０）を保有し、前記冷却ランス（２）は、前記オリフィス（６０）を通って挿入されることを特徴とする、請求項８に記載の電気コンタクト装置（１）。
【請求項１０】
前記冷却ランス（２）は、前記コンタクト本体（４）に固く連結されていることを特徴とする、請求項８または９に記載の電気コンタクト装置（１）。
【請求項１１】
前記オリフィス（６０）は、前記冷却ランス（２）によって塞がれていることを特徴とする、請求項９または１０に記載の電気コンタクト装置（１）。
【請求項１２】
前記可撓性冷却ブラダ（３６）は、少なくとも充填状態（４４）で、前記凹部（５４）の少なくとも１つの壁（５８）に当接することを特徴とする、請求項８から１１のいずれか一項に記載の電気コンタクト装置（１）。
【請求項１３】
前記可撓性冷却ブラダ（３６）は、少なくとも空の状態（４２）で、前記凹部（５４）内に引っ張りなく配置されることを特徴とする、請求項８から１２のいずれか一項に記載の電気コンタクト装置（１）。
【請求項１４】
前記コンタクト装置（１）は、少なくとも１つの電池セル（６４）を有しており、前記コンタクト本体（４）は、前記少なくとも１つの電池セル（６４）に連結されていることを特徴とする、請求項８から１３のいずれか一項に記載の電気コンタクト装置（１）。
【請求項１５】
導電コンタクト本体（４）を冷却するための、請求項１から７のいずれか一項に記載の冷却ランス（２）の使用。
【発明の詳細な説明】
【技術分野】
【０００１】
本発明は、導電コンタクト本体を冷却するための冷却ランスに関し、この冷却ランスは、ポンプへの連結のための少なくとも１つの流体ラインを有するランス本体を有している。本発明はさらに、電気導体の接続のための電気コンタクト装置に関し、この電気コンタクト装置は、凹部を有する導電コンタクト本体と、導電コンタクト本体を冷却するための冷却ランスとを有している。さらに本発明は、導電コンタクト本体を冷却するための冷却ランスの適用に関する。
【背景技術】
【０００２】
前述のタイプのコンタクト装置は、従来技術で知られている。多くの場合、いくつかの相互接続された電池セルから構成された電池モジュールを接続するため、または電池切断ユニットを電池モジュールに接続するための導電コンタクト本体が使用される。この場合、コンタクト本体を通って大きい電流が流れ、抵抗熱が生成される。たとえばエンジンおよび／または電池内で熱負荷が生じるなど、熱源を介して熱負荷がさらに発生する可能性があり、とりわけコンタクト装置のコンタクト領域で脆化をもたらし、その結果、コンタクト装置が再び故障する可能性がある。さらに、コンタクト本体が加熱されることで、それに付随する電気導体が過剰に加熱される可能性がある。
【０００３】
電池モジュールへの接続の場合、特にコンタクト本体と直接相互接続された電池セルが臨界動作温度を超えて加熱される可能性があり、その結果、コンタクト装置の寿命および性能が劇的に低下する可能性がある。したがって、コンタクト本体の冷却が必要である。特に車両では、冷却装置が大いに求められている。したがって冷却装置は、可能な限り軽量であり、熱エネルギーの最適の伝達を保証し、サービス寿命にわたって常に冷却すべき区域にしっかりと接触するべきである。
【発明の概要】
【発明が解決しようとする課題】
【０００４】
これを背景として、本発明の課題は、改善された一定の冷却性能を保証する冷却ランスならびに冷却ランスを有する電気コンタクト装置を形成することである。
【課題を解決するための手段】
【０００５】
この課題は、本発明の冷却ランスによって、少なくとも１つの流体ラインが、流体で充填し導電コンタクト本体の凹部に挿入することができる可撓性冷却ブラダに通じていることによって解決される。
【０００６】
さらに、上述した課題は、導入部で述べたタイプの電気コンタクト装置によって、流体で充填することができる可撓性冷却ブラダが、少なくとも部分的に凹部内に配置されていることによって解決される。
【０００７】
同様に、この課題を解決するために、電気接続を冷却するための冷却ランスが使用され、冷却ランスは可撓性冷却ブラダを有し、可撓性冷却ブラダは、流体で充填することができ、導電コンタクト本体の凹部内に少なくとも部分的に配置される。
【０００８】
可撓性冷却ブラダは、凹部の外形に適合することができ、その結果、大きい接触面積および良好な接触が得られる。冷却ブラダは凹部内に位置するため、コンタクト本体によって機械的負荷から保護されており、したがって熱伝達に対して最適化することができる。したがってコンタクト本体は、内側からより効率的に冷却することができる。本発明の解決策を用いると、冷却ランスによってわずかな空間だけが必要とされ、これは車両内で使用されるとき、何より非常に有利である。このランスの形状により、狭いオリフィスおよび／または困難を伴わなければアクセス可能でないオリフィスを通って冷却ブラダを導入することが可能になる。
【０００９】
以下、さらなる展開例を指定しており、これらの展開例は、所望される場合は互いに独立して互いに組み合わせることができ、それぞれ単独で有利である。
【００１０】
したがって、たとえば冷却ブラダは膨張可能とすることができ、すなわち冷却ブラダは、冷却ブラダ内に集まる流体の圧力によって引っ張られる。その結果、冷却ブラダは、引っ張りおよび弛緩状態において一定の材料厚さを有することができ、したがって特定の引き裂き抵抗を与える。
【００１１】
しかし代替構成によれば、冷却ブラダが弾性的に拡大可能であると特に有利であることが分かった。したがって、原則的に、冷却ブラダは、バルーンのように作用することができ、冷却ブラダが拡大するにつれて、冷却ブラダの体積空間を密閉するメンブレンの材料厚さが減少する。メンブレンの材料厚さが減少すると、冷却ブラダの熱伝達抵抗が低下することにより、体積空間内に位置する流体とコンタクト本体との間で特に激しい温度交換が可能になる。
【００１２】
ランス本体は特に、少なくとも１つの細長い管状体を有することができ、少なくとも１つの細長い管状体は、耐冷媒性を有することができ、流体が流れることができる少なくとも１つの流体ラインを形成する。好ましくは、流体ラインは、熱的に絶縁することができ、したがって流体ラインを通って流れる冷媒は、冷媒が冷却ブラダに導入される前に温かい周囲空間によって過度に加熱されない。その結果、より高い冷却効率が可能である。さらに、結露の発生を防ぐことができる。
【００１３】
有利な構成によれば、ランス本体は、少なくとも部分的に射出成形部分とすることができる。その結果、ランス本体の簡単かつ安価な形成が可能であり、形成中、計画された使用場所にランス本体の形状を簡単に適合させることが可能である。ランス本体は、軽量の電気絶縁ポリマーから製造することができる。したがって、ランス本体は、破裂放電を防ぐために、電気絶縁性を有することができる。さらに、有利な構成によれば、少なくとも、ランス本体の少なくとも１つの流体ラインを機械的に頑丈にすることができ、したがって冷却ランスは、たとえば振動および衝撃などの機械的応力に耐えることができる。これに対する代替として、ランス本体はまた、金属から、たとえば銅または銅合金から製造することができ、この場合、ランス本体を電気絶縁箔で巻くことが可能であり、または当業者には知られている何らかの他の方法によって外側から電気的に絶縁することが可能である。
【００１４】
ランス本体は特に、流体入口および流体出口を有することができ、流体入口および流体出口はそれぞれ、可撓性冷却ブラダに通じている。流体入口および流体出口は冷媒回路内で連結することができ、その結果、可撓性冷却ブラダが充填された後、連続してさらには安定した流体の流れが生じる。その結果、低温の流体が流体入口を通って冷却ブラダ内へ連続して案内され、コンタクト本体との熱交換によってすでに温められた流体を置き換えることが保証される。
【００１５】
流体入口および流体出口は、少なくとも部分的に互いに隣接して配置することができ、その結果、特に省スペースの構成が得られる。特に、ランス本体は、少なくとも部分的に長手方向に延びることができ、流体入口および流体出口は、長手方向を実質的に横断して、互いに隣接して配置することができる。したがって、流体入口および流体出口は、冷却ブラダによって密閉された体積空間内で冷却ブラダの共通のオリフィスに入ることができる。この場合、冷却ブラダは、ランス本体の先端に取り付けることができ、ランス本体の先端は、コンタクト本体の凹部に導入することができる。これに対する代替として、流体入口および流体出口は、いずれの場合も、別個のオリフィスを通って冷却ブラダの体積空間に通じることができる。したがって、冷却ブラダはたとえば、ランス本体のうち流体入口と流体出口との間の部分内に配置することができる。
【００１６】
特に有利な構成では、流体入口および流体出口は、固く、またはさらには物質的に、特に一体的に、少なくとも部分的に互いに連結することができる。したがって、流体入口および流体出口は、射出成形プロセスで形成することができ、流体入口および流体出口はそれぞれ、管状体によって形成することが可能であり、少なくとも部分的に動きを伝達するように互いに連結される。したがって、衝撃負荷または振動負荷などの機械的負荷によって引き起こされる変動を減衰させることができ、流体入口と流体出口との間の相対的な動きを防止することができる。その結果、流体入口と流体出口との間に連結された冷却ブラダ、ならびに／または流体入口および／もしくは流体出口へのその連結が、何らかの形で切断または損傷されることを防止することができる。
【００１７】
安定した流体の流れを生成するために、流体入口および流体出口を平行に連結することができる。特に、冷却ブラダに導入される流体の量は、冷却ブラダから出される流体の量に対応することができ、その結果、冷却ブラダによって取り入れられる体積空間および内圧は一定のままである。したがって、冷却ブラダによるコンタクト本体の常時接触および動作期間における常時冷却を保証することができる。
【００１８】
好ましくは、流体出口は、流体入口とは独立して連結することができる。流体出口は、たとえばバルブを備えることができ、したがって、流体出口に対するバルブが開く前に、冷却ブラダをまず流体で充填して、膨張および／または拡大させることができる。バルブは、冷却ブラダの体積空間内の所定の内圧に達した後のみ、冷却ブラダからの流体の放出を可能にするように形成することができる。好ましい構成によれば、バルブは、バルブが開く圧力に関して設定することができ、したがって体積空間内の内圧、したがって冷却ブラダの拡大を調整することができる。
【００１９】
冷却ブラダは特に、流体入口および／または流体出口とは異なる材料から構成することができ、冷却ブラダは、冷却すべきコンタクト本体と冷媒との間で可能な限り良好な熱伝達を保証する。冷却ブラダは少なくとも部分的に、好ましくは冷却ブラダ全体を、コンタクト本体の凹部内に配置することができるため、コンタクト本体は、冷却ブラダを機械的負荷から保護する保護ハウジングのように作用する。したがって、冷却ブラダの材料は、場合により機械的耐久性を犠牲にして、可能な限り高い熱伝導率を有することができる。
【００２０】
さらに有利な構成によれば、冷却ブラダは特に、耐冷媒性を有することができ、その結果、望ましくない冷却ブラダからの冷媒の漏れを防止することができる。この場合、冷却ブラダのメンブレンは、耐薬品性を有することができ、好ましくは不活性とすることができ、その結果、冷却ブラダがその動作期間中に分解されて漏れることがないことを確実にすることができる。
【００２１】
さらに有利な構成によれば、メンブレンは、少なくとも使用現場の温度範囲内で安定した材料から構成することができる。したがって、特にメンブレンの弾性挙動は、安定した脆化しにくいものとすることができる。メンブレンの脆化は、引き裂きを招く可能性があり、その結果、冷媒の漏れが生じる可能性がある。したがって、メンブレンの弾性は、約−４０℃の冷却ブラダの弾性と比較して、約６０℃で不変とすることができる。可撓性冷却ブラダは、たとえばポリエチレンなど、たとえば加硫ゴムまたはプラスチックから構成することができる。
【００２２】
さらに有利な構成では、冷却ブラダは、固く、好ましくは物質的に、少なくとも１つの流体ラインに連結することができる。したがって、冷却ブラダは、オリフィスを有することができ、オリフィスを区切っているその縁部を、たとえば接着連結によって、少なくとも１つの流体ラインの側面に締結することができる。この連結によって、流体が冷却ブラダから環境へ漏れることが防止される。この場合、接着剤は、望ましくない接着連結の解放が生じないように、特に冷媒に対して化学的に安定したものとすることができ、少なくとも約−４０℃〜約６０℃の温度範囲内で温度安定性を有することができる。
【００２３】
コンタクト本体と流体との間の破裂放電を防止するために、冷却ブラダは、好ましくは、誘電特性を有する材料から構成することができる。その結果、冷却ブラダは、流体を電気的に絶縁し、したがって冷却ブラダの外側にあるコンタクト本体と冷却ブラダの内部にある流体との間に電流の流れが生じるのを防止する絶縁体のように作用する。
【００２４】
電気コンタクト装置のさらに有利な構成によれば、凹部は、少なくとも１つのオリフィスを有することができ、このオリフィスは、好ましくはコンタクト装置の外側からアクセス可能であり、冷却ランスは、このオリフィスを通って挿入することができる。少なくとも冷却ブラダが凹部内に配置され、少なくとも１つの流体ラインが少なくとも１つのオリフィスを通って突出すると、特に有利であることが分かった。オリフィスの数および配置は、流体ラインの数および配置に対して相補形とすることができる。しかし、流体ラインが互いに隣接して配置される場合、流体ラインは共通のオリフィスに挿入することもでき、その結果、電気コンタクト装置の小型の構造が可能になる。
【００２５】
冷却ランスは、コンタクト本体に固く連結することができる。したがって、冷却ランスは、特に固く、たとえば接着連結によって、コンタクト本体に連結することができる。その結果、冷却ランスとコンタクト本体との間の相対的な動きを低減させることができ、動作期間にわたって良好な接触を保証することができる。
【００２６】
冷却ランスは、凹部の少なくとも１つのオリフィスを塞ぐことができ、したがって凹部内に配置された冷却ブラダを損傷しうる汚染が凹部に入る可能性がなくなる。したがって、機械抵抗を犠牲にして、冷却ブラダの弾性、熱伝導特性、および誘電特性をさらに最適化することが可能である。好ましくは、少なくとも１つのオリフィス内の冷却ランスは、熱伝導性接着剤にしっかりと接着連結することができ、冷却ブラダが凹部から誤って引き出されるのを防止する。同時に、少なくとも１つのオリフィスの領域内で流体とコンタクト本体との間の熱交換を保証することもできる。
【００２７】
コンタクト本体の凹部は、たとえばアンダーカットとして形成することができるが、好ましくはチャンバおよび／または空洞として形成することができる。その結果、冷却ブラダは、チャンバおよび／または空洞内で密閉することができ、したがってチャンバの壁および／または空洞の壁によって、全ての面で機械的負荷、たとえば衝撃負荷から保護される。さらに、冷却ブラダは、可能な限り大きい凹部の表面に接触することができ、したがって冷却性能を増大させることができる。
【００２８】
特に有利な構成では、冷却ブラダは、冷媒で充填された状態にあるとき、凹部の壁、特に凹部の内壁に当接することができる。好ましくは、冷却ブラダは、壁にすり寄る（ｎｅｓｔｌｅ）ことができ、その結果、コンタクト本体の最適の接触が実現される。この場合、冷却ブラダは、空洞および／またはチャンバを満たすことができ、特定の内圧で壁を押して、良好な接触を促進することができる。さらに、冷却ブラダは、コンタクト本体の熱変形が生じた場合、さらに拡大することができ、この変形に適合することができ、したがって冷却ブラダの寿命および／またはコンタクト本体の寿命にわたって接触は悪化しない。
【００２９】
冷却ブラダは特に、コンタクト本体の凹部内に引っ張りなく（ｔｅｎｓｉｏｎ−ｆｒｅｅ）配置することができ、冷却ブラダの接触面積は、その体積空間が流体で充填されると拡大および／または膨張し、したがって充填状態にある冷却ブラダは、コンタクト本体に接触する。したがって、空の状態で、振動などによって冷却ブラダの表面内に引き裂きが生じるのを防止することができる。
【００３０】
電気コンタクト装置は、少なくとも１つの電池セルとすることができ、導電コンタクト本体は、少なくとも電池セルに連結することができ、その結果、電池セルも同様に、コンタクト本体の冷却によって受動的に冷却することができる。電気コンタクト本体は、たとえば、２つの電池モジュールをともに連結することができ、または電池切断ユニット（ＢＤＵ）を電池モジュールに連結するために使用することもできる。これに関して、特に大きい電流が伝導され、その結果、特に電池モジュールの第１のセルが臨界動作温度を超えて加熱される可能性があり、臨界動作温度で電池の寿命および性能が低下する。したがって、コンタクト本体の追加の冷却によって、過度の加熱を抑制することができ、電池の安全な動作を保証することができる。
【００３１】
電気コンタクト装置は、ハウジングを有することができ、ハウジングは、コンタクト装置を少なくとも部分的に密閉し、少なくともコンタクト本体を密閉し、外部の影響からの保護を与える。したがって、ハウジングは特に、コンタクト本体と環境との間の望ましくない電流の伝達が生じないように、電気絶縁性を有することができる。
【００３２】
以下、本発明について、添付の図を参照する例示的な実施形態を使用して例としてより詳細に説明する。これらの図では、設計上および／または機能上互いに対応する要素に同じ参照記号を提供する。
【００３３】
個々の例示的な実施形態に図示および記載する機構の組合せは、単独で説明の目的を担う。上記によれば、特定の応用例においてその技術的な効果が重要でない場合、例示的な実施形態の機構を省略することが可能である。逆に、上記によれば、特定の応用例に対してその技術的な効果が有利または必要であることが意味される場合、例示的な実施形態にさらなる機構を加えることができる。
【図面の簡単な説明】
【００３４】
【図１】本発明の電気コンタクト装置の概略分解図である。
【図２】図１に示す空の冷却ブラダを有する本発明の冷却ランスの概略斜視図である。
【図３】図１に示す充填された冷却ブラダを有する本発明の冷却ランスの概略斜視図である。
【図４】図１に示す本発明の電気コンタクト装置の概略断面図である。
【発明を実施するための形態】
【００３５】
まず、冷却ランス２および導電コンタクト本体４を有する電気コンタクト装置１の有利な実施形態の構造および機能について、図１〜図４を参照して説明する。図２および図３では、図１に示す冷却ランス２を、空の状態および充填状態で示す。最後に、図２および図３に示す導電コンタクト本体４および冷却ランス２を有する本発明のコンタクト装置１の断面図が図４に示されており、冷却ランス２がコンタクト本体４に挿入されている。
【００３６】
電気コンタクト装置１は、冷却ランス２および導電コンタクト本体４を備える。少なくとも導電コンタクト本体４は、電気絶縁ハウジング６（概略的に示す）によって取り囲まれる。ハウジング６は、長手方向Ｌに隔置されているいくつかの支持体をさらに有することができ、冷却ランス２は、支持体上に静止することができる（図示せず）。支持体は、たとえば、長手方向Ｌを横断して配置されたくぼみを有する壁部分によって形成することができる。連続する壁部分のくぼみは、互いに位置合わせすることができ、したがって冷却ランス２を挿入することができるチャネルを形成する。支持体は、たとえば車両内の振動などの機械的負荷によって引き起こされるコンタクト本体４と冷却ランス２との間の大きい相対的な動きを防止することができ、その結果、コンタクト装置１の分離を防ぐことができる。
【００３７】
以下、図１の冷却ランス２について、それぞれ冷却ランスの概略斜視図を示す図２および図３を参照して説明する。
【００３８】
冷却ランス２はランス本体２０を有し、ランス本体２０は、長手方向Ｌに沿って少なくとも部分的に互いに対して対称に配置された２つの管状体２２、２４から形成され、管状体２２、２４はそれぞれ、流体ライン２６を形成する。管状体２２は流体入口２８として機能し、管状体２４は流体出口３０として機能する。流体入口２８および流体出口３０は、冷媒回路（図示せず）内で連結することができる。流体ライン２６は、ポンプ（図示せず）と流体連通することができ、その結果、流体の流れを制御することができ、流体ライン２６を通って注入することができる。流体ライン２６は、ポンプ３１に直接取り付けることができ、またはポンプ３１によって動作する冷媒回路内で連結することができる。
【００３９】
流体入口２８および流体出口３０は、長手方向Ｌに対して平行および横断方向に、ランス本体２０の端部３２内で互いに隣接して延び、好ましくは固く、さらには物質的に、特に一体的な構造部として、互いに連結されており、したがって少なくとも端部内では、流体ライン２６間の相対的な動きが防がれる。その結果、ランス本体２０の高い機械的安定性が実現される。
【００４０】
好ましくは、良好な熱伝導率を有し、冷却ランス２の材料に対して化学的に不活性である冷却ランス２を通って、水などの冷却液が運ばれ、したがって冷却ランス２の化学的分解を防止することができる。たとえば分解の結果、コンタクト本体４からの流体の絶縁損失および／または望ましくない冷媒の漏れが生じる可能性がある。
【００４１】
ランス本体２０は、好ましくは、射出成形プロセスによって形成され、ランス本体２０は、機械的に頑丈な電気絶縁性の材料から構成され、したがってコンタクト本体４とランス本体２０の内部に位置する流体との間の電流の伝達が防止される。その結果、絶縁体を追加することなくランス本体２０の安全な動作を保証することができる。絶縁体の追加は、より増大した重量とより大きな空間要件をもたらすことになるはずである。
【００４２】
端部３２において、流体ライン２６は互いに平行に配置され、流体ライン２６の直径は、直径Ｄ１から直径Ｄ２へ長手方向Ｌに増大する。好ましくは、この場合、外径のみが増大し、内径は同じままである。その結果、端部３２内のランス本体２０の材料厚さを増大させることができ、その結果、より高い機械的強度が実現される。
【００４３】
流体ライン２６は、その自由端３４で可撓性冷却ブラダ３６に通じており、可撓性冷却ブラダ３６は、体積空間Ｖを密閉する。可撓性冷却ブラダ３６はオリフィス３８を備え、オリフィス３８は、ランス本体２０の長手方向部分の周りに係合し、好ましくは接着連結４０によって、前記長手方向部分に物質的に連結される。その結果、流体を冷却ブラダ３６内へ伝導することができ、流体が望ましくない形で冷却ブラダ３６から環境中へ漏れないことが確実になる。接着連結４０は、好ましくは、少なくとも約−４０℃〜約６０℃の使用される温度範囲内で熱的に安定した接着剤、および少なくとも使用される冷却流体に対して化学的に安定した少なくとも１つの接着剤から形成される。この場合、流体ライン２６の自由端３４は体積空間Ｖ内へ突出しており、その結果、冷却流体は冷却ブラダ３６の片側ではなく中心で注入される。その結果、体積空間Ｖ内の均質な温度分布を得ることができ、したがってコンタクト本体の均質な冷却も実現することができる。
【００４４】
これに対する代替として、図示されていない一実施形態によれば、冷却ブラダ３６および流体ライン２６は、一体的な構造部として単体で製造することができ、冷却ブラダ３６は、柔軟に拡大可能および／または膨張可能になるように設計され、流体ライン２６は実質的に機械的に頑丈である。したがって、一体的な構造部は、複数の構成要素からなる射出成形プロセスにおいて１つの動作のみで安価に形成することができる。
【００４５】
可撓性冷却ブラダ３６は、好ましくは、弾性メンブレン３７から製造することができ、弾性メンブレン３７は誘電特性を保有し、したがってコンタクト本体４と冷却流体との間の破裂放電を防止する。メンブレン３７の弾性によって、冷却ブラダを可逆的に弾性変形させることができる。コンタクト本体４内の凹部を絶縁することは、大きい支出およびコストを伴う。しかし冷却ブラダ３６自体を、誘電特性を有するメンブレン３７から構成することができるため、望ましくない電流の流れを防止することができ、コンタクト装置１の電気絶縁、特にコンタクト本体４の電気絶縁のための簡単かつ安価な解決策が得られる。
【００４６】
図２で、可撓性冷却ブラダ３６は空の状態４２で示されており、冷却ブラダ３６は実質的に引っ張りなく体積空間Ｖ１を密閉する。空の状態４２で、冷却ブラダ３６は、コンタクト本体４の接触面積から隔置することができる。これに関して、空の状態４２は、完全に空の冷却ブラダに限定されるものではなく、むしろこれは、冷却ブラダ３６がコンタクト本体４の接触面積に接触して冷却流体とコンタクト本体４との間の熱交換を行うことができる程度まで冷却ブラダ３６が冷却流体で充填されていないことを意味するだけである。
【００４７】
可撓性冷却ブラダ３６の弾性メンブレン３７は、好ましくは、小さい材料厚さを有し、少なくとも膨張可能であるが、好ましくは拡大可能でもある。ポンプによって、流体入口２８を介して冷却流体を冷却ブラダ３６に注入することができる。その結果、体積空間Ｖ内の内圧が上昇し、図３に示すように、体積空間Ｖ２への拡大が生じる。それ以上の流体が流体入口２８を通って冷却ブラダ３６内へ運ばれない場合、メンブレンは再び収縮し、流体出口３０を通って流体を注入し、空の状態４２に戻ることができる。
【００４８】
示されていない描写によれば、流体出口３０は、冷却ブラダ３６の所定の内圧でのみ開くバルブ（図示せず）を備えることができ、したがって、流体が冷却ブラダ３６から流体出口３０を通って流れ出るまで、まず冷却ブラダ３６は所定の体積空間Ｖになる。その結果、冷却ブラダ３６の内圧の結果として生じる特定の押圧力で、コンタクト本体４が冷却ブラダ３６に十分にしっかりと接触することを確実にすることができる。図３に示す冷却ランス２は、充填状態４４にある冷却ブラダ３６を示す。これに関して、「充填状態」という用語は、所望の力でコンタクト本体４の接触面積に接触するのに十分なほど冷却ブラダ３６が充填されたことだけを意味する。冷却ブラダ３６は、好ましくは、充填状態をはるかに超えて充填することができる。その結果、冷却ブラダ３６が破裂する前に、冷却ブラダ３６内に十分な体積容量が存在することが保証される。充填状態４４は、動作期間にわたって変動することができ、たとえばコンタクト本体４の熱変形によって接触面積が変化するときに変動することができる。したがって、冷却ブラダ３６は、熱変形に適合させることができ、適当な場合、さらに拡大することができる。
【００４９】
流体出口３０および流体入口２８は、好ましくは冷却ブラダ３６の所定の内圧に到達した後、平行に連結することができる。したがって、流体の流れは、冷却ブラダ３６を通って着実に流れることができ、その結果、内圧は実質的に一定のままであり、接触面積は同じ力によって永続的に接触され、計算上簡単に設計することができる一貫した冷却性能が実現される。
【００５０】
これに対する代替として、流体入口２８および流体出口３０は、すでに初めから平行に連結することができ、電流の流れは、冷却ブラダが充填される間、初めは安定しておらず、したがって冷却ブラダ３６が充填状態４４に到達するまで、流体の入口流は出口流より大きい。特に冷却ブラダが充填状態４４に到達した後、電流の流れは安定することができ、したがって体積空間Ｖ内に広がっている内圧は一定のままである。
【００５１】
充填中に冷却ブラダ３６が拡大し、したがってメンブレン３７の材料厚さが空の状態４２より充填状態４４で小さくなると、特に有利であることが分かった。この構成で、メンブレンの熱伝達抵抗が低下し、冷却ランス２の熱伝導率が上昇し、その結果、コンタクト本体４の特に効果的な冷却が実現される。応用例に応じて、充填状態４４にある体積空間Ｖ２は、空の状態４２にある体積空間Ｖ１の倍数とすることができる。したがって、充填状態４４にある冷却ブラダと空の状態４２にある冷却ブラダとの間の拡大比は、８：１とすることができる。
【００５２】
図２および図３に示す導電コンタクト本体４および冷却ランス２を有する本発明のコンタクト装置１が、図４に示されている。
【００５３】
コンタクト本体４は、実質的に階段状の本体を有し、いずれの場合も長手方向Ｌに対して実質的に平行に走っている水平部分が、いずれの場合も電気導体に接触するコンタクト領域４６、４８を形成する。コンタクト本体４は、たとえば、たとえば拡散はんだ付けまたは溶接によって互いに連結された２つの構成要素から構成することができ、いずれの場合も、１つの構成要素がコンタクト領域４６、４８を形成する。したがって、たとえばコンタクト領域４６を銅から実質的に形成することができ、コンタクト領域４８をアルミニウムから実質的に形成することができる。この場合、「実質的に」は、前記材料を主として含む合金を指す。したがってこれは、これらの要素がさらなる材料を追加として含むことを除外しない。
【００５４】
コンタクト領域４６、４８は、好ましくは、打ち抜きおよび曲げ加工を施した部分として形成することができ、その結果、コンタクト本体４の簡単な形成が可能になる。
【００５５】
コンタクト領域４６は、固定オリフィス５０を備え、固定オリフィス５０は、図１に概略的に示すように第１の電気導体５１に連結し、またコンタクト本体４を機械的に固定する働きをすることができる。固定オリフィス５０は、たとえば、ねじ連結のための内部ねじ山を備えることができる。全体的に、コンタクト領域４６は、ケーブルラグの形状を実質的に有することができる。
【００５６】
コンタクト領域４８も同様に、ケーブルラグの形状を有することができるが、図４に示すコンタクト領域４８の実施形態のように、固定オリフィスを有していない可能性もある。コンタクト領域４８の材料組成および第２の電気導体５３の材料組成が実質的に同一である場合、電池モジュールの第２の電気導体５３、たとえばセルコネクタ５２（図１参照）を有するコンタクト領域４８は、溶接または他の材料連結によって容易に形成することができる。
【００５７】
長手方向Ｌに実質的に直交して走っているコンタクト領域４６、４８間の遷移部では、コンタクト本体４は、壁５８によって密閉されたチャンバ５６の形態の凹部５４を有する。チャンバ５６は、体積空間Ｖ３を示し、長手方向Ｌにアクセス可能なオリフィス６０を有しており、オリフィス６０に冷却ランス２が挿入され、したがって冷却ブラダ３６がチャンバ５６内で配置される。その結果、冷却ブラダ３６は、外部負荷、特に振動または衝撃などの機械的負荷から壁５８によって保護される。したがって、機械的な頑丈さを犠牲にして、冷却ブラダ３６のメンブレン３７を熱伝送に対して最適化することができる。
【００５８】
ランス本体２０は、固く、好ましくは物質的に、オリフィス６０内でコンタクト本体４に連結される。この目的のため、好ましくは熱伝導性接着剤を使用して接着連結が形成される。固い連結によって、冷却ブラダ３６がチャンバ５６から引き出されることおよび／または損傷されることを防止することができる。また、長手方向Ｌおよび長手方向Ｌを横断する方向における冷却ランス２とコンタクト本体４との間の相対的な動きを最小にすることができる。この場合、ランス本体２０は好ましくは、オリフィス６０を塞ぎ、したがって熱伝導率の低下およびメンブレン３７の損傷を招きうる粒子の侵入を防止する。
【００５９】
自由端３４はチャンバ５６内へ突出し、その結果、ランス本体２０とオリフィス６０との間の連結のより大きい安定性が実現される。それによって連結は、振動または他の機械的影響の結果としてそれほど容易に解放されなくなる。
【００６０】
コンタクト本体４を冷却するために、冷却流体が冷媒回路を介して冷却ブラダ３６に注入され、冷却ブラダ３６は、この場合は体積空間Ｖ２まで膨張および／または拡大する。この場合、冷却ブラダ３６は、実質的に体積空間Ｖ３およびチャンバ５６の外形になる。これにより、メンブレン３７は壁５８にすり寄り、したがって冷却ブラダ３６とコンタクト本体４との間の接触面積が大きくなる。言わば、冷却ブラダ３６はコンタクト本体４の内部に配置されているため、コンタクト本体４の単一の外側の冷却とは対照的に、はるかに大きい接触面積に接触する。その結果、冷却の特に均質な分布が実現され、接触面積は小さい空間要件で最大になる。体積空間Ｖ２内に広がっている内圧の結果、メンブレン３７は壁５８に押し付けられ、その結果、接触面積の連続接触が保証される。
【００６１】
したがって、導電コンタクト本体４を冷却するための本発明の冷却ランス２、電気コンタクト装置１、および冷却ランスの使用によって、重量の増大を招きうるさらなる構成要素を使用することなく、簡単かつ効率的な冷却が可能になる。
【００６２】
図１で、コンタクト本体４が電池モジュール６１のセルコネクタ５２に連結されていることがさらに示されている。電池モジュール６１は、分かりやすくするために概略的にのみ示されており、電池モジュール６１の２つの単一の電池セル６４のみが示されている。セルコネクタ５２はたとえば、電池セル６４の端面６２に溶接することができる。電池モジュール６１は、知られている方法で、たとえばプレート冷却によって冷却される。電池の充電容量および速度に対する要求がさらに増大する結果、高い電力消費または高い電力出力の結果、臨界温度を超えた電池セルの過度の加熱が生じ、その結果、電池の寿命が短くなる。特に、コンタクト本体４に連結されたセルコネクタ５２は、コンタクト本体４の熱によって過度に加熱される。冷却ランス２によってコンタクト本体４を効率的に冷却することによって、セルコネクタ５２へ伝達される過度の熱が形成されるのを防止することができ、したがって電池セルが臨界動作温度を超えて加熱されるのを防止することができる。したがって、プレート冷却に加えて、コンタクト本体の冷却によって、電池モジュール６１の温度、特にコンタクト本体に直接連結された電池セル６４の温度を間接的に調整することができる。
【符号の説明】
【００６３】
１  コンタクト装置
２  冷却ランス
４  コンタクト本体
６  ハウジング
２０  ランス本体
２２  管状体
２４  管状体
２６  流体ライン
２８  流体入口
３０  流体出口
３１  ポンプ
３２  端部
３４  自由端
３６  冷却ブラダ
３７  メンブレン
３８  冷却ブラダのオリフィス
４０  接着連結
４２  空の状態
４４  充填状態
４６  コンタクト領域
４８  コンタクト領域
５０  固定オリフィス
５１  電気導体
５２  セルコネクタ
５３  電気導体
５４  凹部
５６  チャンバ
５８  壁
６０  オリフィス
６１  電池モジュール
６２  端面
６４  電池セル
Ｌ  長手方向
Ｄ  直径
Ｖ  体積空間
【図１】
2020035740.tif 000003
【図２】
2020035740.tif 000004
【図３】
2020035740.tif 000005
【図４】
2020035740.tif 000006
【外国語明細書】
2020035740000001.pdf